(57)【要約】【目的】入賞の際に第１、第２、第３リールの停止順について遊技者をアシストできるスロットマシンうぃ提供する。【解決手段】メダルの投入口と、貯留されたメダルを各遊技に対して遊技機に投入するためのベット・ボタンと、第１、第２、第３リールを回転用リールスタートレバーと、回転する第１、第２、第３リールと、前記第１、第２、第３リール停止ボタンと、前記各リールの回転を制御する主基板と、該主基板とリールとを接続するリールユニット接続基板と、該リールユニット接続基板と接続された前記リールの表示部の付近にリールの停止順を示唆する３種類９カ所の図柄を配置してなり６通りの押し順表示部とからなり、前記主基板が押し順表示部を介してスタートの度に遊技者が押すべきリール停止ボタンの押し順を点灯又は点滅で示すように構成されたスロットマシン。【選択図】  図１
2004267494.tif 000002
【特許請求の範囲】
【請求項１】
メダルの投入口と、貯留されたメダルを各遊技に対して遊技機に投入するためのベット・ボタンと、第１、第２、第３リールを回転させるために操作されるリールスタートレバーと、周囲に複数の図柄が配置された回転する第１、第２、第３リールと、前記各リールを個別に停止させるために操作される第１、第２、第３リール停止ボタンと、前記リールの回転を制御する主基板と、該主基板とリールとを接続するリールユニット接続基板と、該リールユニット接続基板と接続された前記リールの表示部の付近にリールの停止順を示唆する３種類９カ所の図柄を配置してなる６通りの押し順表示部とからなり、前記主基板が押し順表示部を介してスタートの度に遊技者が押すべきリール停止ボタンの押し順を点灯又は点滅で示すように構成されていることを特徴とするスロットマシン。
【請求項２】
前記押し順表示部が前記リールに隣接して回転リール上に設置されていることを特徴とする請求項１記載のスロットマシン。
【発明の詳細な説明】
【０００１】
【発明の属する技術分野】
本発明は、配当、入賞の組み合わせ関係にある３つのリール等の回胴ユニットを有するスロットマシンに関するもので、入賞に関係する３つの回胴ユニットの停止順を遊技者に報知し、スロットマシンのプログラム上で入賞している図柄の停止の組み合わせを取りこぼすことなく遊技者がプレイできるようにアシストする機能を有する装置に関する。
【０００２】
【従来の技術】
従来より知られているスロットマシンでは、所定のメダル投入後にスタートレバーを引くことによりリール等の回胴ユニットが回転を初め、さらに遊技機の制御装置内で入賞等の抽選が行われ、所定の図柄の組み合わせに関して入賞が決定する。そして遊技者はリール停止ボタンを操作することにより第１、第２、第３のリールを停止させることにより入賞図柄の組み合わせの状態で停止すれば、多数のメダルを獲得することができるように構成されている。
【０００３】
【発明が解決しようとする課題】
しかし、前述したようにスロットマシンにおける遊技の基本動作は、スタートレバーを操作してすべての第１、第２、第３リールを一斉に回転させる工程と、各リールに対応する第１、第２、第３リール停止ボタンを操作してリールの回転を順に停止させる工程とで構成されているが、現実には、どの順序で第１、第２３、第３リールを停止させるによって、入賞の可能性がなくなる可能性も秘めている。そのため、ごく一般的な遊技者にとっては、どの順序で停止させるのがよいのかはわかりにくく、入賞の取りこぼしをしてしまうケースがある。
【０００４】
そこで本発明は、かかる従来のスロットマシンが一般遊技者に不親切であったのに鑑みなされたもので、スロットマシンに習熟していない遊技者であっても、最適なリール停止順序を容易に知ることができるようなスロットマシンを提供することを目的とする。
【０００５】
【課題を解決するための手段】
すなわち請求項１の発明は、メダルの投入口と、貯留されたメダルを各遊技に対して遊技機に投入するためのベット・ボタンと、第１、第２、第３リールを回転させるために操作されるリールスタートレバーと、周囲に複数の図柄が配置された回転する第１、第２、第３リールと、前記各リールを個別に停止させるために操作される第１、第２、第３リール停止ボタンと、前記リールの回転を制御する主基板と、該主基板とリールとを接続するリールユニット接続基板と、該リールユニット接続基板と接続された前記リールの表示部の付近にリールの停止順を示唆する３種類９カ所の図柄を配置してなる６通りの押し順表示部とからなり、前記主基板が押し順表示部を介してスタートの度に遊技者が押すべきリール停止ボタンの押し順を点灯又は点滅で示すように構成されたスロットマシンにより本目的を達成する。
【０００６】
【作用】
リールが３列の場合、その停止順序は順列組み合わせで３Ｐ２通り（６通り）である。そして、スロットマシンの遊技機制御装置の主基板は、スタートレバーの操作に伴い第１、第２、第３リールが回転をさせると共に入賞に関する抽選を行い、入賞の場合には入賞の図柄の組み合わせ及びリールの停止順序を定める。かかる情報はリールユニット接続基板を介して押し順表示部に電送され、入賞するために必要な第１、第２、第３リール停止ボタンの押し順を点灯又は点滅にて表示する。従って遊技者はその表示部で指示された通りにリール停止ボタンを押せば入賞を取りこぼすことなく、勝利メダルを獲得することができる。
【０００７】
【発明の実施の形態】
以下に本発明を図示された実施例に従って詳細に説明する。
図１は本発明にかかるスロットマシンのブロック図であり、電源基板１を搭載した電源ブロック２と、該電源ブロック２からの電力の供給を受けてスロットマシンのスタートレバー入力後の第１リール、第２リール、第３リールの回転を制御すると共に入賞に関する抽選を行い入賞に関する図柄の組み合わせを決定すると共に図柄の停止順を決定する主基板３と、該主基板３とインタラクティブに接続されたリールユニット接続基板４と、該リールユニット基板４とインタラクティブに接続された第１リールセンサーボード５ａ、第２リールセンサーボード５ｂ、第３リールセンサーボード５ｃ及び回転押し順表示器用リールセンサーボード６と、各センサーボード５ａ，５ｂ，５ｃ、６からの指示に従い回動する第１リール用ステップモータ７ａ、第２リール用ステップモータ７ｂ、第１リール用ステップモータ７ｃ及び回転押し順表示器用ステップモータ８と、前記リールユニット接続基板４の指示に従い回転押し順表示器の背後からランプ９１，９２，９３を点灯又は点滅制御するバックランプボード１０とからなる。
【０００８】
図２は、第１、第２、第３リール１２，１４，１６の３行３列の表示部の付近に配置された第１、第２、第３リール１２，１４，１６の停止順を示唆する３種類９カ所の図柄を配置してなり６通りの押し順表示部１８であり、該押し順表示部１８の下方には入賞の可能性を示唆する告知図柄２０、告知図柄２２、ＪＡＣゲーム中図柄２４、ボーナスゲーム中図柄２６とが配置されている。前記押し順表示部１８は、第１、第２、第３リール停止ボタンをイメージした９列のボタン図柄と、順列組み合わせで算出される６通りの停止ボタンの押し順（組み合わせ１、組み合わせ２，組み合わせ３，組み合わせ４、組み合わせ５，組み合わせ６）に対応した矢印表示がふされており、該帯配列の表示部１８の背後には図示しないバックランプ９１，９２，９３が設置されている。９列中の任意の３列の組み合わせから６通りの押し順が表示されることになる。
【０００９】
図３は前記第２図における９列の帯配列の押し順表示部をリールに張り付けた回転押し順表示部２８を第３リールの横に並列に配置した第２実施例を示すもので、３０はリールスタートレバーであり、各第１リール１２，第２リール１４、第３リールの下方に第１リール停止ボタン３２、第２リール停止ボタン３４，第３リール停止ボタン３６が設置されている。
【００１０】
図４は遊技機の管理処理フローチャートであり、スタートレバー３０が操作されるとゲームが開始する。そして第１、第２、第３リール１２，１４，１６及び回転押し順表示部２８が回転を始め、主基板３は抽選を行い入賞か、大当たり入賞か否を決定する。
【００１１】
次に図５の回胴制御モジュールに移り、抽選結果に基づき主基板が入賞の図柄の組み合わせ及びリールの停止順を決定し、またリールの回転停止までの時間をリプレイタイム設定モジュールにより決定し、停止管理モジュールがリール１２，１４，１６の停止順を決定し、停止位置設定モジュールが停止した時に一致する図柄の組み合わせを決定し、その結果がリールユニット接続基板４へ送信される。
【００１２】
図６は主基板３からリールユニット接続基板４を介して送信を受けた押し順表示部の動作を示す停止管理モジュールのフローチャートであり、第１、第２、第３リールが回転中に告知図柄２０，２２に入賞の可能性を告知させ、さらに所望の停止順の組み合わせ表示（３列）が表示される位置を決定し、図１のリールセンサーボード６を介して表示部の位置を確認しながらステップモータ８を回転させて停止させる。次にバックランプボード１０を制御することにより押し順表示部１８（２８）の背後に設置されたバックランプ９１，９２，９３を図２の組み合わせ１、組み合わせ２，組み合わせ３，組み合わせ４、組み合わせ５，組み合わせ６のいずれかの順で点灯又は点滅させることにより遊技者に対して入賞を確実にとるためのアシストを行う。
【００１３】
【発明の効果】
本発明によるスロットマシンのアシスト機能によれば一般遊技者であっても確実に入賞のチャンスを取りこぼすことなく遊技することが可能となる。
【図面の簡単な説明】
【図１】本発明によるスロットマシンのブロック図である。
【図２】押し順表示部の押し順組み合わせと付随する表示部の状況を示す概略図である。
【図３】第２実施例にかかるスロットマシンの正面図である。
【図４】遊技機管理のフローチャートである。
【図５】第１、第２、第３リールの回胴制御のフローチャートである。
【図６】本発明にかかる装置における押し順表示部の制御を示すフローチャートである。
【符号の説明】
１      電源基板
２      電源ブロック
３      主基板
４      リールユニット接続基板
５ａ，５ｂ，５ｃ  リールセンサーボード
６      押し順表示部のリールセンサーボード
７ａ，７ｂ，７ｃ  ステップモータ
８      押し順表示部のステップモータ
１０      バックランプボード
１２，１４，１６  第１、第２、第３リール
１８      押し順表示部
２０，２２  告知図柄
２４      ＪＡＣゲーム中図柄
２６      ボーナスゲーム中図柄
２８      リール式押し順表示部
３０      リールスタートレバー
３２，３４，３６  第１、第２、第３リール停止ボタン
【図１】
2004267494.tif 000003
【図２】
2004267494.tif 000004
【図３】
2004267494.tif 000005
【図４】
2004267494.tif 000006
【図５】
2004267494.tif 000007
【図６】
2004267494.tif 000008